(57)【特許請求の範囲】
【請求項１】
略長方形を呈する主基台と、該主基台に並設して配した副基台と、把手を有する略長方形の折曲基板とを備え、
当該折曲基板は、上板と下板とを備え、その先端部に移動可能な位置決め部材を備えて板金を挿入できる隙間をつくり、
下板の左右両端部に、交換可能なカッター下歯をネジ止め固定し、該カッター下歯の近傍に側方への突出ピンを設けてなり、
前記主基台は、左右二つのガイド基板を備え、
該ガイド基板は、少なくとも一方をスライド移動可能とし、その内側先端位置に、交換可能なカッター上歯をネジ止め固定し、
該カッター上歯の近傍に、前記突出ピンを案内する断面略半円形状の二重パネルからなるエルボガイドを備え、該エルボガイドは、その後端位置に、前記突出ピンを挿入するための切欠部を備える一方、その先端位置に、当該突出ピンを離脱させるためのクリアランスを備えてなり、
前記副基台は、左右位置に、板金の幅寸法を位置決めするガイド部材を備え、少なくとも一方をスライド移動可能にした、
ことを特徴とする板金のはぜ折り装置。
【発明の詳細な説明】
【０００１】
【産業上の利用分野】
本発明は、トタン屋根板（特に軒周りの役物材料）等に使用する板金のはぜ折り装置に関する。
【０００２】
【従来の技術】
トタン屋根その他に使用する板金は、図６（ａ）〜（ｃ）に示すように、まず端部を折曲して馳（はぜ）１となし、馳１の左右に切り込み２を設けてから、切り込み２の左右端部３を金槌で叩いて引き延ばす。左右端部３を引き延ばすのは、（ｄ）に示すように、必要に応じて当該部分をさらに折曲し（符号４で示す）、隣接する屋根板との連結部とするためである。
【０００３】
【発明が解決しようとする課題】
ところで従来、このような馳１の折曲や引き延ばしは、手作業、つまり金槌で叩くことによって行っていた。切り込み２を入れるときはハサミを使用する。
【０００４】
はぜ折りの作業は、熟練した職人であれば、数が少ない場合にはとくに苦痛というわけではない。しかしながら、処理数が多い場合や急ぎの仕事の場合には、手作業以上に迅速化・効率化することが望まれていた。また熟練した職人の数が徐々に減少しているため、経験の浅い者であっても短時間で質の高い作業結果を出せる手段が必要である。
【０００５】
ところが、はぜ折りは複数の行程が組み合わさっていることから、一つの装置で簡単に板金を処理する仕組みを構成することは困難であると考えられた。また作業コストとの関係もあり、モータ等を使用する大がかりなプレス装置を採用することも出来ない。
【０００６】
そこで本発明の目的は、可能な限り装置構成を簡易化し、一動作で、はぜ折りを完了できるようにする点にある。
【０００７】
【課題を解決するための手段】
前記課題を達成するため、本発明に係る板金のはぜ折り装置は、
▲１▼  略長方形を呈する主基台と、該主基台に並設して配した副基台と、把手を有する略長方形の折曲基板とを備え、
▲２▼  当該折曲基板は、上板と下板とを備え、
・  その先端部に、移動可能な位置決め部材を備えて板金を挿入できる隙間をつくり、
・  下板の左右両端部に、交換可能なカッター下歯をネジ止め固定し、
・  該カッター下歯の近傍に側方への突出ピンを設けてなり、
▲３▼  前記主基台は、左右二つのガイド基板を備え、
・  該ガイド基板は、少なくとも一方をスライド移動可能とし、
・  その内側先端位置に、交換可能なカッター上歯をネジ止め固定し、
・  該カッター上歯の近傍に、前記突出ピンを案内する断面略半円形状の二重パネルからなるエルボガイドを備え、
・  該エルボガイドは、その後端位置に、前記突出ピンを挿入するための切欠部を備える一方、その先端位置に、当該突出ピンを離脱させるためのクリアランスを備えてなり、
▲４▼  前記副基台は、左右位置に、板金の幅寸法を位置決めするガイド部材を備え、少なくとも一方をスライド移動可能にした。
【０００８】
【作用】
本装置は、把手を有する略長方形の折曲基板を、突出ピンを案内する半円形状のエルボガイドに沿って動かす（半回動させる）ことにより、切り込み部の切断と、はぜ部分の折曲げを、同時に行うものである。
【０００９】
主基台は、エルボガイドをスライド可能に固定する台であり、副基台は、板金を挿入するときの抑え台である。板金の位置決めを容易にするため、副基台にもスライド可能なガイド部材を設けてある。
【００１０】
切り込み部分を切断するためのカッターは、手で動かす折曲基板に下歯を、エルボガイドを固定するガイド基板に上歯を設けてあり、折曲基板を下から上に向けて動かすときにハサミの原理でカットするようになっている。
【００１１】
【実施例】
以下、添付図面に基づいて本発明の実施例を説明する。
図１は、本発明に係るはぜ折り装置の一例を示すものである。
この装置は、略長方形を呈する主基台１０と、該主基台１０に並設して配した配した副基台３０と、把手４１を有する略長方形の折曲基板４０とを備えて構成する。
【００１２】
まず折曲基板４０の構成から説明する。
この折曲基板４０は、図２にも示すように、上板４２と下板４４とを備え、その中間部に位置決め部材となる中板４３を備える。この中板４３の先端部は、板金を挿入させるための隙間Ｓを作るよう、位置決めボルト４９で予め固定位置を決めておく。
【００１３】
また下板４４の左右両端部には、交換可能なカッター下歯４５をネジ止めして固定しておく。符号４６はネジである。
【００１４】
一方、該カッター下歯４５の近傍には、側方への突出ピン４７を設ける。この実施例では、上板４２に突出ピン４７を直接固定した。突出ピン４７の固定手段は限定されない。尚、把手４１の形状も自由である。
【００１５】
次に、主基台１０を説明する。
主基台１０は、左右二つのガイド基板１４，１５を備え、少なくとも一方（例えば１５）をスライド移動可能としておく。この実施例では、両方を移動可能として示した。符号１６は位置決めボルト、１７は位置決め用のスリットであり、適宜の位置でガイド基板１４，１５を固定できるようにしてある。
【００１６】
ガイド基板１４，１５の内側先端位置には、図３に示すように交換可能なカッター上歯１８をネジ止め固定する。符号１９はネジである。尚、このガイド基板１４，１５も、前記折曲基板４０と同様に、上板Ｐ１，中板Ｐ２，下板Ｐ３によって構成することができる。位置決めボルト１６は、中板Ｐ２の位置を決めるとともに、三枚のパネルＰ１〜Ｐ３を固定する。
【００１７】
カッター上歯１８の近傍には、前記突出ピン４７を案内する断面略半円形状の二重パネルからなるエルボガイド２０を固定する。
【００１８】
このエルボガイド２０は、その後端位置に、突出ピン４７を挿入するための切欠部２２を備え、先端位置には当該突出ピン４７を離脱させるためのクリアランス２４を備える。クリアランス２４は、突出ピン４７を引き出すことが出来るだけの寸法があれば良い。
【００１９】
副基台３０は、左右位置に、板金の幅寸法を位置決めするガイド部材３１，３２を備え、少なくとも一方をスライド移動可能にする。この実施例では両方を移動可能として示した。符号３６は位置決めボルト、３７は位置決め用のスリットであり、適宜の位置においてガイド部材３１，３２を固定できるようにした。主基台１０と副基台３０との間には、一定の隙間１１を設けることが望ましい。折曲基板４０の先端縁が副基台３０にぶつからないようにするためである。
【００２０】
尚、主基台１０のガイド基板１４，１５の内側寸法が、折曲する馳（はぜ）の寸法となる。板金に切り込みを入れるカッター４５（下歯）、１８（上歯）は、この馳折りの位置に設けられる。
【００２１】
次に、本装置の使用方法を説明する。
この装置は、折曲基板４０をエルボガイド２０に従って回動させることで、板金に切り込みを入れ、同時に馳を折曲するものである。従って使用に際しては、まず折曲基板４０のガイドピン４７を、エルボガイド２０の切欠部２２に差し込む。把手４１を持って折曲基板４０を主基台１０の端部に乗せ、スライドさせれば、突出ピン４７は切欠部２２にそのまま嵌まり込む。
【００２２】
この状態で、副基台３０側から板金を差し込む。適当に差し込んでも、板金の先頭部は、折曲基板４０の中板４３、およびガイド基板１５の中板Ｐ２に当接して、止まる。
【００２３】
この状態から、図４矢印Ａのように、持ち上げるようにして把手４１を動かすと、突出ピン４７がエルボガイド２０に案内されて、折曲基板４０が回動する。このとき折曲基板４０のカッター下歯４５と、ガイド基板１５のカッター上歯１８とが、ハサミとなって板金Ｌの馳部分に切り込みを入れると同時に、折曲基板４０の上板４２の先端部が馳部分を折曲してゆく。
【００２４】
折曲基板４０の把手４１が、副基台３０側に移動すると、突出ピン４７がエルボガイド２０のクリアランス２４に達し、ここで回動は停止する。これで一動作が終了するから、今度は、把手４１を持って突出ピン４７をクリアランス２４から引き抜いて、折曲基板４０の隙間Ｓに嵌り込んでいる板金から引き外し、板金一枚の馳折りを終える。そのまま折曲基板４０を初期セットすれば、次の処理に入ることが出来る。この繰り返しである。
【００２５】
折曲基板４０の初期セットから、一枚の処理を終えるまでの秒数は、およそ５秒以内である。従来の作業では、折曲げ、切り込み、延ばし、という動作に２０秒程度は要したから、処理速度の点でも申し分がない結果を得る。また非熟練者でも質の高い処理を行うことが出来るため、熟練者の負担軽減となり、繁忙時の仕事も柔軟な対応が可能となる。
【００２６】
尚、前記実施例では、折曲基板４０の中板４３を移動可能なものとして説明した。しかし板金先頭部の位置決めは、ガイド基板１５の左右の中板Ｐ２だけでも十分であるから、折曲基板４０の先端部には板金を差し込むことの出来る隙間Ｓを設けるだけでも良い。また主基台、副基台は、動かないようにするため重量のある鋼板を使用するのが望ましい。しかしテーブルに固定できれば良いから、形状や素材は限定されない。
【００２７】
また、前記実施例では主基台１０に配するエルボガイド２０を二つとして説明したが、軒天破風一体型のはぜ折り成形には、図５に示すように、二つのエルボガイド２０と並設して、さらにもうひとつのエルボガイド２１を設け、異なる幅寸法成形を連続的に行えるようにしても良い。符号５０は、ガイド基板である。このガイド基板５０は、左右両位置にカッター下歯（図示せず）を備える。
【００２８】
【発明の効果】
以上説明したように本発明に係る馳折り装置によれば、簡易な構成でありながら、一動作で、はぜ折りを完了することが出来る。
【図面の簡単な説明】
【図１】本発明に係る馳折り装置の一例を示す斜視図である。
【図２】本発明に係るカッター上歯の取付例を側面から示す図である。
【図３】本発明に係るカッター下歯の取付例を側面から示す図である。
【図４】本発明に係る馳折り装置の操作を側面から例示する図である。
【図５】本発明に係るエルボガイドの他の配設例を示す斜視図である。
【図６】従来の、はぜ折りの行程を示す図である。
【符号の説明】
１０  主基台
１４，１５  ガイド基板
１６，３６，４９  位置決めボルト
１７，３７  スリット
１８  カッター上歯
１９，４６  ネジ
２０  エルボガイド
２２  切欠部
２４  クリアランス
３０  副基台
３１，３２  ガイド部材
４１  把手
４０  折曲基板
４２，Ｐ１  上板
４４，Ｐ３  下板
４３，Ｐ２  中板
４５  カッター下歯
４７  突出ピン
Ｓ  隙間
【図１】
0003630492.tif 000002
【図２】
0003630492.tif 000003
【図３】
0003630492.tif 000004
【図４】
0003630492.tif 000005
【図５】
0003630492.tif 000006
【図６】
0003630492.tif 000007